(57)【特許請求の範囲】
【請求項１】
グローブ（１００）であって、
グローブ本体（１０２）と補強パネル（１２４）と切取り部（１２６）とを備えており、
前記グローブ本体（１０２）は、
第１の端部（１０４）と第２の端部（１０６）とを有する背面側（１０８）および掌側（１１０）と、
前記第１の端部（１０４）から延出している複数の指部（１１５）および親指部（１１４）と、
前記第２の端部（１０６）に画定された手首部（１１２）であって、グローブ本体（１０２）の内部に画定された内部（１３０）と連通するグローブ開口部（１２８）を画定する、手首部（１１２）と、を含んでおり、
前記補強パネル（１２４）は、前記親指部（１１４）と前記手首部（１１２）との間で前記グローブ本体（１０２）の外表面に固定されており、
前記切取り部（１２６）は、前記グローブ本体の皺寄りを抑えるために、前記補強パネル（１２４）を貫通し前記グローブ本体（１０２）の前記内部（１３０）と連通して形成されている開口部（１３８）を画定する、グローブ（１００）。
【請求項２】
前記切取り部（１２６）の前記開口部（１３８）は、前記グローブ本体（１０２）の前記背面側（１０８）と前記掌側（１１０）とを貫通して形成されている、請求項１に記載のグローブ（１００）。
【請求項３】
前記グローブ本体（１０２）はグローブ材料から作製されており、
前記切取り部（１２６）の前記開口部（１３８）は、前記グローブ本体（１０２）の前記背面側（１０８）と前記掌側（１１０）との間を伸びる長手軸（８００）の両側にある前記グローブ材料の実質的に等しい量を除去して形成されている、請求項１に記載のグローブ（１００）。
【請求項４】
前記切取り部（１２６）の前記開口部（１３８）は、実質的な長円形構成、実質的な円形構成、実質的な矩形構成、または実質的な涙滴形構成のうちの少なくとも１つを含む、請求項１〜３のいずれか一項に記載のグローブ（１００）。
【請求項５】
前記グローブ本体（１０２）はグローブ材料から作製されており、前記開口部（１３８）は前記グローブ材料内の空所である、請求項１に記載のグローブ（１００）。
【請求項６】
前記補強パネル（１２４）は、皮材料、または織布材料のうちの少なくとも１つを含む、請求項１〜５のいずれか一項に記載のグローブ（１００）。
【請求項７】
前記切取り部（１２６）の前記開口部は、前記切取り部（１２６）の前記開口部の実質的に半分が前記背面側（１０８）に形成されるとともに他方の半分が前記掌側（１１０）に形成されるように、形成されている、請求項１に記載のグローブ（１００）。
【請求項８】
前記グローブ（１００）は、ゴルフ・グローブ（１０２）、レーシング・グローブ、ガーデニング・グローブ、キッチン手袋、ミトン手袋、使捨て手袋、指なし手袋、サイクリング・グローブ、ボクシング・グローブ、ハンドラのグローブ、溶接工の手袋、衝撃保護手袋、フードサービス手袋、チェーンメール・グローブ、チェーンソー・グローブ、消防士の長手袋、弓懸け、野球用グローブ、アイス・ホッケー・グローブ、乗馬手袋、ラクロス・グローブ、フェンシング・グローブ、クリケット・グローブ、ビリヤード・グローブ、鷹狩り用手袋、ウェイトリフティング・グローブ、スキー用手袋、タッチスクリーン・グローブ、または車いす用グローブである、請求項１〜７のいずれか一項に記載のグローブ（１００）。
【請求項９】
グローブ（１００）を製造する方法であって、
グローブ本体（１０２）を形成するステップと、
補強パネル（１２４）を前記グローブ本体（１０２）の外表面に固定するステップと、
前記グローブ本体の皺寄りを抑えるために、前記補強パネルを貫通して開口部を画定する切取り部（１２６）を形成するステップと、を備えており、
前記グローブ本体（１０２）は、
第１の端部（１０４）と第２の端部（１０６）とを有する背面側（１０８）および掌側（１１０）と、
前記第１の端部（１０４）から延出している複数の指部（１１５）および親指部（１１４）と、
前記第２の端部（１０６）に画定された手首部（１１２）であって、グローブ本体（１０２）の内部に画定された内部（１３０）と連通するグローブ開口部（１２８）を画定する、手首部（１１２）と、を含む、方法。
【請求項１０】
前記補強パネルを前記グローブ本体に固定する前記ステップは、前記親指部と前記手首部との間の、前記グローブ本体の領域内で、前記補強パネルを前記グローブ本体に固定することを含む、請求項９に記載の方法。
【請求項１１】
前記補強パネルを前記グローブ本体に固定する前記ステップは、皮材料、または織布材料のうちの少なくとも１つから作製されている補強パネルを固定することを含む、請求項９または１０に記載の方法。
【請求項１２】
前記切取り部を形成する前記ステップは、実質的な長円形構成、実質的な円形構成、実質的な矩形構成、または実質的な涙滴形構成のうちの少なくとも１つを有する開口部を画定する切取り部を形成することを含む、請求項９〜１１のいずれか一項に記載の方法。
【請求項１３】
前記切取り部を形成する前記ステップは、前記切取り部（１２６）の前記開口部の実質的に半分が前記背面側（１０８）に形成されるとともに他方の半分が前記掌側（１１０）に形成されるように、前記開口部を画定する切取り部を形成することを含む、請求項９〜１２のいずれか一項に記載の方法。
【発明の詳細な説明】
【技術分野】
【０００１】
関連出願の相互参照
本願は、その全体が参照により本明細書に援用されている、２０１３年７月２４日に出願された米国非仮特許出願第１３／９４９，４２１号の利益を主張する一部継続出願である、２０１４年６月５日に出願された特許出願第１４／２９７，３４０号の利益を主張するものである。
【０００２】
本文書は概してグローブに関し、詳細には、使用中のグローブ材料の皺寄り（ｂｕｎｃｈｉｎｇ  ｕｐ）を実質的に最小限にしかつまた個人がそのようなグローブをその手により効率的に被せることを可能にする表面領域をもたらす開口部を画定する切取り部を有するグローブに関する。
【背景技術】
【０００３】
グローブは、通常、個人が様々な種類の物品または物体をしっかりと握持し、取り扱うことを可能にする、手を取り巻く表面領域をもたらすように使用される。例えば、ゴルフ・クラブをスイングするかまたはそれを別途取り扱う時にゴルフ・クラブをしっかり握持するために、ゴルフ・グローブが使用される。多くの個人は、手の周囲にゴルフ・グローブがぴったりフィットすることを好むが、それには手の指を動かしてゴルフ・グローブのぴったりフィットする範囲内に入れる厄介な仕事を要する。関節炎の手を持つ個人が手を効率的に動かしてゴルフ・グローブのぴったりフィットする範囲内に入れるのに苦労する可能性がある。さらに、いくつかのゴルフ・グローブのグローブ材料は、ゴルフ・スイング中に個人の手首が曲げられた位置（ｈｉｎｇｅｄ  ｐｏｓｉｔｉｏｎ）にある場合、手首部と親指部との間の領域に皺が寄る可能性があり、それは個人にとって不快である可能性がある。さらに、また、ゴルフ・グローブは、グローブ材料を磨耗させ、引き裂く可能性がある反復使用によって、ある期間に亘ってこの領域内に破損域を発現させる可能性がある。
【図面の簡単な説明】
【０００４】
【図１】切取り部を画定する補強パネルを示す、グローブの一実施形態の斜視図である。
【０００５】
【図２】グローブの背面側を示す、図１のグローブの正面図である。
【０００６】
【図３】グローブの掌側を示す、図１のグローブの後面図である。
【０００７】
【図４】手にグローブを嵌める時に個人がその指で切取り部に係合していることを示す、図１のグローブの斜視図である。
【０００８】
【図５】物品を握持する時に発生する可能性がある、グローブ材料の皺寄りを示す、個人により着用されている先行技術グローブの斜視図である。
【０００９】
【図６】切取り部がグローブ材料の皺寄りを防止することを示す、個人により着用されている図１のグローブの斜視図である。
【００１０】
【図７】実質的な長円形構成を有する切取り部を示す、図１のグローブの側面図である。
【００１１】
【図８】実質的な矩形構成を有する切取り部を示す、グローブの実施形態の側面図である。
【００１２】
【図９】実質的な円形構成を有する切取り部を示す、グローブの実施形態の側面図である。
【００１３】
【図１０】実質的なダイヤモンド形構成を有する切取り部を示す、グローブの実施形態の側面図である。
【００１４】
【図１１】実質的な涙滴形構成を有する切取り部を示す、グローブの実施形態の側面図である。
【００１５】
【図１２】補強部を示す、グローブの実施形態の斜視図である。
【００１６】
【図１３】開口部を画定する切取り部を示す、グローブの実施形態の斜視図である。
【００１７】
【図１４】図１のグローブを製造する一方法を示す流れ図である。
【発明を実施するための形態】
【００１８】
対応する参照文字が、図面の図の中で対応する要素を示す。図に用いられている表題は、請求項の範囲を限定しない。
【００１９】
グローブ材料の皺寄りを防止しかつまた個人がそのようなグローブを手により効率的に被せることを可能にする、切取り部を有するグローブおよびそのようなグローブを製造する方法が、本明細書に記載されている。本明細書において用いられている用語「皺寄り」は、例えばグローブ材料の折り畳み、捻じれ、および／または曲げによる、グローブ本体の実質的に１つまたは複数の領域におけるグローブ材料の寄り集まり（ｇａｔｈｅｒｉｎｇ  ｔｏｇｅｔｈｅｒ）を指す。図面を参照すると、グローブの実施形態が示されており、図１〜図１４に全般的に１００、２００、３００、４００、５００および６００と表示されている。
【００２０】
図１〜図３に示されている通り、全般的に１００と表示されているグローブの一実施形態が、個人の手の背面に接触するように構成されている背面側１０８（図１および図２）と個人の手の掌に接触するように構成されている掌側１１０（図３）とを有するグローブ材料１０３で作製されているグローブ本体１０２を含み得る。さらに、グローブ本体１０２は、複数の指部１１５と親指部１１４とが外側へ延出している第１の端部１０４と、個人の手首を受容するように構成されているグローブ開口部１２８（図１）を画定する手首部１１２を画定する第２の端部１０６とを画定する。一実施形態では、複数の指部１１５は、個人が手にグローブ１００を嵌めた時に、個人の小指を受容するように構成されている第１の指部１１６と、個人の薬指を受容するように構成されている第２の指部１１８と、個人の中指を受容するように構成されている第３の指部１２０と、個人の人指し指を受容するように構成されている第４の指部１２２とを含む。一実施形態では、グローブ本体１０２は右利きの個人用に構成されてもよく、一方、別の実施形態では、グローブ本体１０２は左利きの個人用に構成されてもよい。
【００２１】
いくつかの実施形態では、手首部１１２は、グローブ１００が個人により嵌められた後に、手首部１１２が個人の手首の周囲にぴったりフィットすることを可能にする、手首部１１２の外周を取り巻く弾性バンド（図示せず）を含み得る。図１にさらに示されている通り、グローブ開口部１２８は、個人がグローブ１００を着用した時に個人の手を中に受容するように構成されている、グローブ本体１０２の内部１３０と連通する。
【００２２】
一実施形態では、図４に示されている通り、グローブ本体１０２は、グローブ１００を嵌めるかまたは外す場合に個人が１本または複数の指で係合する握持面をもたらすように構成されている開口部１３８を有する切取り部１２６を画定する、補強パネル１２４を含み得る。開口部１３８は、補強パネル１２４の材料を貫通しグローブ本体１０２の内部１３０と連通して形成されている。いくつかの実施形態では、補強パネル１２４は、いかなる実質的な磨耗も示さない、個人による度重なる引っ張り、強い引っ張り、および／または握持に適した、皮材料、可撓性の手触りが柔らかいポリマー材料、織布材料、または様々な他の合成繊維材料などの、耐久性のある弾力材で作製されてもよい。一実施形態では、補強パネル１２４は、グローブ本体１０２の背面側１０８および掌側１１０の両方に及ぶ、親指部１１４と手首部１１２との間に配置されてもよい。他の実施形態では、補強パネル１２４は、第１の指部１１６と手首部１１２との間に配置されてもよく、またはグローブ本体１０２の手首部１１２に隣接した掌部１１１上にのみ配置されてもよく、またはグローブ本体１０２の手首部１１２に隣接した背面部１１３上にのみ配置されてもよい。本礼例示は、グローブ本体１０２に沿った、補強パネル１２４の特定の位置を記載する可能性があるが、本明細書に記載されている装置、方法、および製造品はこの関連で限定されない。
【００２３】
図７に示されているグローブ１００の実施形態では、切取り部１２６の開口部１３８は、グローブ１００の親指部１１４と手首部１１２との間でグローブ本体１０２の背面側１０８と掌側１１０とから材料の実質的に等しい部分を除去することにより形成され得る。例えば、切取り部１２６の開口部１３８は、グローブ本体１０２の背面側１０８と掌側１１０との間の境界線に実質的に沿って伸びる長手方向軸８００の実質的に両側で補強パネル１２４から実質的に同一の材料量を除去することにより製造され得る。換言すれば、以下により詳細に検討されるように、切取り部１２６の開口部１３８は、グローブ本体１０２および／または補強パネル１２４からの材料が製造中に除去された空所を画定する。
【００２４】
図２および図４に戻って参照すると、補強パネル１２６を貫通して形成されるか、グローブ本体１０２を直接貫通して形成されるかにかかわらず、切取り部１２６は、以下の寸法を用いて製造され得る。いくつかの実施形態では、切取り部１２６の開口部１３８は、約４０ｍｍの長さ９００、約１５ｍｍの深さ９０２、および約３０ｍｍの幅９０４を有し得る。装置、方法、および製造品はこの関連で限定されない。
【００２５】
図７〜図１１を参照すると、補強パネル１２４は、様々な対称構成を有する開口部を画定する切取り部１２６を有し得る。例えば、図７に示されている通り、グローブ１００は、実質的に対称な長円形構成を画定する開口部１３８を形成している補強パネル１２４を有するグローブ本体１０２を含む。図８では、２００と表示されているグローブの別の実施形態が、実質的に対称な矩形構成を形成している開口部２３８を有する切取り部２２６を画定する補強パネル２２４を有するグローブ本体２０２を含み得る。図９を参照すると、３００と表示されているグローブの別の実施形態では、実質的に対称な円形構成を形成している開口部３３８を画定する切取り部３２６を有する補強パネル３２４を有するグローブ本体３０２を含み得る。図１０を参照すると、４００と表示されているグローブのさらに別の実施形態では、実質的に対称なダイヤモンド形構成を形成している開口部４３８を画定する切取り部４２６を有する補強パネル４２４を有するグローブ本体４０２を含み得る。図１１に示されている通り、５００と表示されているグローブの別の実施形態では、実質的に対称な涙滴形構成を形成している開口部５３８を画定する切取り部５２６を有する補強パネル５２４を有するグローブ本体５０２を含み得る。開口部１３８、２３８、３３８、４３８および５３８の対称構成を問わず、各開口部１３８、２３８、３３８、４３８および５３８は、開口部１３８、２３８、３３８、４３８および５３８の実質的に半分がグローブ本体１０２の背面側１０８に形成される一方、開口部１３８、２３８、３３８、４３８および５３８の他方の半分がグローブ本体１０２の掌側１１０に沿って形成されるように、形成されている。開口部１３８、２３８、３３８、４３８および５３８のこの構成では、個人が手首を曲げた場合に生成される応力は、開口部１３８、２３８、３３８、４３８および５３８に沿って実質的に等しく分配され、それによりグローブ材料１０３の皺寄りを実質的に防止する。本例示が開口部１３８、２３８、３３８、４３８および５３８の特定の構成を説明する可能性があるが、本明細書に記載されている装置、方法、および製造品はこの関連で限定されない。
【００２６】
図１および図２に戻って参照すると、いくつかの実施形態では、グローブ本体１０２の背面側１０８は可撓性部分１３６を含み得る。例えば、可撓性部分１３６は、グローブ本体１０２の実質的に背面側１０８上に形成されている複数の指部１１５に近接して配置され得るが、可撓性部分１３６は、グローブ本体１０２の他の領域に沿って配置され得る。この位置では、可撓性部分１３６は、個人の指関節に隣接した、グローブ本体１０２のグローブ材料１０３内に可撓性区域をもたらして、図６に示されている通りグローブ１００が個人により着用された時にさらなる可撓性をもたらす。一実施形態が、複数の指部１１５に近接した可撓性部分１３６を示すが、本明細書に記載されている装置、方法、および製造品はこの関連で限定されない。
【００２７】
図２に示されている通り、グローブ本体１０２の背面側１０８は、グローブ本体１０２の複数の指部１１５、親指部１１４、および手首部１１２に近接した背面部１１３を画定し得る。さらに、背面部１１３は、個人がグローブ１００を着用している時に第２の係合部１４２に係合するように構成されている第１の係合部１４０を形成し得る。いくつかの実施形態では、第１の係合部１４０は、個人がグローブ１００を嵌めることまたは外すことを望む時に第１の係合部１４０が第２の係合部１４２に繰り返し接着されかつそれから繰り返し引き離されることを可能にする、第２の係合部１４２上の第２のＶＥＬＣＲＯ（登録商標）フック＆ループ構成部１４４に係合するように構成されているなどの、第１のＶＥＬＣＲＯ（登録商標）フック＆ループ構成１４３を含む。
【００２８】
図１および図２を参照すると、いくつかの実施形態では、複数の指部１１５および親指部１１４などのグローブ本体１０２の部分を貫通して形成されており、個人の手に対して空気循環を実現し、かつ手からの湿気がグローブ材料１０３を通って逃げることを可能にする複数の穴部１３２を、グローブ１００は画定してもよい。いくつかの実施形態では、複数の穴部１３２は、グローブ本体１０２の背面部１１３および／または掌部１１１（図３）上の任意の適切な領域に沿って画定されてもよい。装置、方法、および製造品はこの関連で限定されない。
【００２９】
図４に戻って参照すると、上記の通り、個人が補強パネル１２４の切取り部１２６を使用して、グローブ１００を個人の手により効率的に被せてもよい。詳細には、切取り部１２６の開口部１３８は、個人が開口部１３８を通して１本または複数の指をグローブ１００の内部１３０内に挿入することを可能にするように構成されている。個人は、次いで、手をグローブ１００内に挿入するために個人が手首部１１２を直接握持するかまたは個人の他方の手を過度にくねらせるかもしくは動かさなければならないことなく、個人の他方の手の指および親指がグローブ本体１０２の複数の指部１１５および親指部１１４それぞれの中へ容易に挿入されるように、切取り部１２６の表面に当接した一方の手の指（単数または複数）で、下方向の力１４６をかけて、手首部１１２を通した内部１３０内への個人の他方の手の挿入を促進してもよい。
【００３０】
図６に示されている一態様では、補強パネル１２４の切取りパネル１２４は、個人がゴルフ・クラブ１２をスイングする動作にある場合に起こり得る、グローブ材料１０３の皺寄りを防止する。図５に示されている通り、先行技術グローブ１０のグローブ材料は、個人がゴルフ・クラブ１２をスイングしている時にその手首を個人の前腕に対して後方に曲げた場合に「皺が寄る」可能性がある。先行技術グローブ１０のこの皺寄りは、手首を後方へ曲げることにより、実質的に先行技術グローブ１０の手首部と親指部との間で、必然的に先行技術グローブ１０のグローブ材料に必然的に「皺が寄る」かまたはグローブ材料が寄り集まるために起こる。さらに、先行技術グローブ１０のこの皺寄りは、個人を不快にしかつ／またはゴルフ・スイング中に個人の気を散らすので望ましくない可能性がある。図６を参照すると、先行技術グローブ１０と対照的に、グローブ１００は、例えばゴルフ・スイング中に個人の手首が曲げられた場合に、グローブ本体１０２の皺寄りを実質的に最小限にするかまたはなくす切取り部１２６の開口部１３８を含む。詳細には、切取り部１２６により画定された開口部１３８が、個人が手首を曲げた場合に先行技術グローブ１０では状況が異なり皺が寄るであろうグローブ材料１０３を除去して空所を形成するので、グローブ１００の皺寄りは実質的に最小限になるかまたはなくなる。さらに、個人が手首を曲げた場合、開口部１３８は変形し、それによりさらに、グローブ材料１０３に皺が寄らないようにする。
【００３１】
図１２を参照すると、６００と表示されているグローブの一実施形態では、グローブの反復使用後に発現する可能性があるグローブ本体６０２内の任意の破損区域の形成を実質的に防止するいかなる切取り部も有さない補強パネル６２４を有する、グローブ本体６０２を含み得る。詳細には、補強パネル６２４は、個人がその手にグローブ１００を嵌めながらまたはその手から外しながらグローブ本体１０２に応力をかける時に破損区域がグローブ１００に発現する可能性を実質的に低減する、弾力性の、耐久性のある、耐磨耗性の材料から作製されている。
【００３２】
図１３を参照すると、７００と表示されているグローブの一実施形態では、グローブ本体７０２を直接貫通して形成されている切取り部７２６を含み得る。本実施形態では、切取り部７２６は、前段で検討されているいかなる種類の補強パネルの一部も形成しないが、グローブ本体７０２を直接貫通して形成されている。図示の通り、切取り部７２６は、グローブ本体７０２により画定された内部７３０と直接連通する開口部７３８を形成している。各切取り部１２６、２２６、３２６、４２６および５２６を有するグローブ１００、２００、３００、４００および５００の実施形態と同様に、グローブ７００の切取り部７２６は、個人が開口部７３８を通して１本または複数の指を挿入し得るという点において、かつ図４に示されているより効果的な方法で切取り部７２６に当接して下方向の力をかけて手にグローブ７００を嵌めることを補助し得るという点において、実質的に同じ方法で機能するように構成されている。
【００３３】
図１４を参照すると、グローブ１００を製造する一方法が示されている。ブロック１０００において、第１の端部１０４と第２の端部１０６とを有する背面側１０８および掌側１１０を画定するグローブ本体１０２を形成し、複数の指部１１５および親指部１１４がグローブ本体１０２の第１の端部１０４から外側へ延出している。ブロック１００２において、グローブ本体１０２の第２の端部１０６に手首部１１２を形成し、手首部１１２は、グローブ本体１０２により画定された内部１３０と連通するグローブ開口部１２８を形成する。ブロック１００４では、補強パネル１２４をグローブ本体１０２に縫い付けることなどにより、補強パネル１２４をグローブ本体１０２に取り付ける。ブロック１００６において、グローブ材料１０３の部分を切り取ることなどにより、補強パネル１２４から材料の部分を除去して、開口部１３８を画定する切取り部１２６を形成する。
【００３４】
動作の特定の順序が図１４に示されているが、これらの動作は他の時系列で実施され得る。例えば、図１４に示されている２つ以上の動作は、連続的に、一斉に、または同時に実施され得る。あるいは、図示の２つ以上の動作は逆の順序で実施され得る。さらに、図１４の１つまたは複数の動作は全く実施されなくてもよい。本明細書に記載されている装置、方法、および製造品はこの関連で限定されない。
【００３５】
いくつかの実施形態では、グローブ１００、２００、３００、４００、５００、６００および７００は、ゴルフ・グローブ、レーシング・グローブ、ガーデニング・グローブ、キッチン手袋、ミトン手袋、使捨て手袋、指なし手袋、サイクリング・グローブ、ボクシング・グローブ、ハンドラのグローブ（ｈａｎｄｌｅｒ’ｓ  ｇｌｏｖｅ）、溶接工の手袋、衝撃保護手袋、フードサービス手袋（ｆｏｏｄ  ｓｅｒｖｉｃｅ  ｇｌｏｖｅ）、チェーンメール・グローブ（ｃｈａｉｎｍａｉｌ  ｇｌｏｖｅ）、チェーンソー・グローブ、消防士の長手袋（ｇａｕｎｔｌｅｔ）、弓懸け、野球用グローブ、アイス・ホッケー・グローブ、乗馬手袋、ラクロス・グローブ、フェンシング・グローブ、クリケット・グローブ、ビリヤード・グローブ、鷹狩り用手袋（ｆａｌｃｏｎｒｙ  ｇｌｏｖｅ）、ウェイトリフティング・グローブ、スキー用手袋、タッチスクリーン・グローブ、および車いす用グローブであってもよい。
【００３６】
上述から当然のことながら、特定の実施形態が例示され、記載されたが、当業者に明らかになるように、本発明の精神および範囲から逸脱することなく、それに対して種々の修正が加えられることが可能である。そのような変更および修正は、本明細書に添付されている特許請求の範囲において定められる本発明の範囲および教示の範囲内に入る。
以下の項目は、国際出願時の特許請求の範囲に記載の要素である。
（項目１）
グローブ（１００）であって、
グローブ本体（１０２）と補強パネル（１２４）と切取り部（１２６）とを備えており、
前記グローブ本体（１０２）は、
第１の端部（１０４）と第２の端部（１０６）とを有する背面側（１０８）および掌側（１１０）と、
前記第１の端部（１０４）から延出している複数の指部（１１５）および親指部（１１４）と、
前記第２の端部（１０６）に画定された手首部（１１２）であって、グローブ本体（１０２）の内部に画定された内部（１３０）と連通するグローブ開口部（１２８）を画定する、手首部（１１２）と、を含んでおり、
前記補強パネル（１２４）は、前記親指部（１１４）と前記手首部（１１２）との間で前記グローブ本体（１０２）に固定されており、
前記切取り部（１２６）は、前記補強パネル（１２４）を貫通し前記グローブ本体（１０２）の前記内部（１３０）と連通して形成されている開口部（１３８）を画定する、グローブ（１００）。
（項目２）
前記補強パネル（１２４）は、前記親指部（１１４）と前記手首部（１１２）との間で前記グローブ本体（１０２）に固定されている、項目１に記載のグローブ（１００）。
（項目３）
前記切取り部（１２６）は、前記グローブ本体（１０２）の領域内での前記グローブ本体（１０２）の皺寄りを防止する、項目１に記載のグローブ（１００）。
（項目４）
前記切取り部（１２６）は、前記親指部（１１４）と前記手首部（１１２）との間の前記グローブ本体（１０２）の領域内での前記グローブ本体（１０２）の皺寄りを防止する、項目１に記載のグローブ（１００）。
（項目５）
前記切取り部（１２６）の前記開口部（１３８）は、前記グローブ本体（１０２）の前記背面側（１０８）と前記掌側（１１０）とを実質的に貫通して形成されている、項目１に記載のグローブ（１００）。
（項目６）
前記切取り部（１２６）の前記開口部（１３８）は、前記グローブ材料の実質的に等しい量が前記グローブ本体（１０２）の前記背面側（１０８）と前記掌側（１１０）とを貫通して形成されるように、前記グローブ本体（１０２）の前記背面側（１０８）と前記掌側（１１０）とを実質的に貫通して形成されている、項目１に記載のグローブ（１００）。
（項目７）
前記切取り部（１２６）の前記開口部（１３８）は、実質的な長円形構成、実質的な円形構成、実質的な矩形構成、または実質的な涙滴形構成のうちの少なくとも１つを含む、項目１に記載のグローブ（１００）。
（項目８）
前記グローブ本体（１０２）はグローブ材料から作製されており、前記開口部（１３８）は前記グローブ材料内の空所に形成される、項目１に記載のグローブ（１００）。
（項目９）
前記補強パネル（１２４）は、皮材料、可撓性の手触りが柔らかいポリマー材料、織布材料、または様々な合成繊維材料のうちの少なくとも１つを含む、項目１に記載のグローブ（１００）。
（項目１０）
前記切取り部（１２６）は、前記グローブ本体（１０２）の材料が除去されて前記グローブ本体（１０２）の部分に皺が寄らないようにする空所を作り出している前記グローブ本体（１０２）の前記部分に形成されている、項目１に記載のグローブ（１００）。
（項目１１）
前記切取り部（１２６）の前記開口部は、構成が実質的に対称である、項目１に記載のグローブ（１００）。
（項目１２）
前記グローブ（１００）は、ゴルフ・グローブ（１０２）、レーシング・グローブ、ガーデニング・グローブ、キッチン手袋、ミトン手袋、使捨て手袋、指なし手袋、サイクリング・グローブ、ボクシング・グローブ、ハンドラのグローブ、溶接工の手袋、衝撃保護手袋、フードサービス手袋、チェーンメール・グローブ、チェーンソー・グローブ、消防士の長手袋、弓懸け、野球用グローブ、アイス・ホッケー・グローブ、乗馬手袋、ラクロス・グローブ、フェンシング・グローブ、クリケット・グローブ、ビリヤード・グローブ、鷹狩り用手袋、ウェイトリフティング・グローブ、スキー用手袋、タッチスクリーン・グローブ、または車いす用グローブである、項目１に記載のグローブ（１００）。
（項目１３）
グローブ（１００）を製造する方法であって、
グローブ本体（１０２）を形成するステップと、
補強パネル（１２４）を前記グローブ本体（１０２）に固定するステップと、
前記補強パネルを貫通して開口部を画定する切取り部（１２６）を形成するステップと、を備えており、
前記グローブ本体（１０２）は、
第１の端部（１０４）と第２の端部（１０６）とを有する背面側（１０８）および掌側（１１０）と、
前記第１の端部（１０４）から延出している複数の指部（１１５）および親指部（１１４）と、
前記第２の端部（１０６）に画定された手首部（１１２）であって、グローブ本体（１０２）の内部に画定された内部（１３０）と連通するグローブ開口部（１２８）を画定する、手首部（１１２）と、を含む、方法。
（項目１４）
前記補強パネルを前記グローブ本体に固定する前記ステップは、実質的に前記親指部と前記手首部との間の、前記グローブ本体の領域内で、前記補強パネルを前記グローブ本体に固定することを含む、項目１３に記載の方法。
（項目１５）
前記補強パネルを前記グローブ本体に固定する前記ステップは、皮材料、可撓性の手触りが柔らかいポリマー材料、織布材料、または様々な合成繊維材料のうちの少なくとも１つから作製されている補強パネルを固定することを含む、項目１３に記載の方法。
（項目１６）
前記切取り部を形成する前記ステップは、実質的な長円形構成、実質的な円形構成、実質的な矩形構成、または実質的な涙滴形構成のうちの少なくとも１つを有する開口部を画定する切取り部を形成することを含む、項目１３に記載の方法。
（項目１７）
前記切取り部を形成する前記ステップは、実質的な対称構成を画定する切取り部を形成することを含む、項目１３に記載の方法。
（項目１８）
グローブであって、
グローブ本体を備えており、
前記グローブ本体が、
第１の端部と第２の端部とを有する背面側および掌側と、
前記第１の端部から延出している複数の指部および親指部と、
前記第２の端部に画定された手首部であって、前記グローブ本体の内部に画定された内部と連通するグローブ開口部を画定する、手首部と、
前記グローブ本体を貫通し前記グローブ本体の前記内部と連通して形成されている開口部を画定する切取り部と、を含む、グローブ。
（項目１９）
前記切取り部の前記開口部は、構成が実質的に対称である、項目１８に記載のグローブ。
（項目２０）
前記切取り部は、応力が前記開口部に沿って実質的に等しく分配されることを可能にする、項目１８に記載のグローブ。
（項目２１）
前記グローブ本体はグローブ材料から作製されており、前記開口部は前記グローブ材料内の空所に形成されている、項目１８に記載のグローブ。
（項目２２）
前記グローブは、ゴルフ・グローブ、レーシング・グローブ、ガーデニング・グローブ、キッチン手袋、ミトン手袋、使捨て手袋、指なし手袋、サイクリング・グローブ、ボクシング・グローブ、ハンドラのグローブ、溶接工の手袋、衝撃保護手袋、フードサービス手袋、チェーンメール・グローブ、チェーンソー・グローブ、消防士の長手袋、弓懸け、野球用グローブ、アイス・ホッケー・グローブ、乗馬手袋、ラクロス・グローブ、フェンシング・グローブ、クリケット・グローブ、ビリヤード・グローブ、鷹狩り用手袋、ウェイトリフティング・グローブ、スキー用手袋、タッチスクリーン・グローブ、または車いす用グローブである、項目１８に記載のグローブ。
【図１】
0006461143.tif 000002
【図２】
0006461143.tif 000003
【図３】
0006461143.tif 000004
【図４】
0006461143.tif 000005
【図５】
0006461143.tif 000006
【図６】
0006461143.tif 000007
【図７】
0006461143.tif 000008
【図８】
0006461143.tif 000009
【図９】
0006461143.tif 000010
【図１０】
0006461143.tif 000011
【図１１】
0006461143.tif 000012
【図１２】
0006461143.tif 000013
【図１３】
0006461143.tif 000014
【図１４】
0006461143.tif 000015